(57)【要約】【課題】  ユーザの興味をそそる利用シーンを実現可能な画像表示装置及び画像表示方法を提供する。【解決手段】  画像表示装置は、ディスプレイを備える。画像表示装置は、前記ディスプレイの向きを特定する特定部と、前記ディスプレイを制御する制御部とを備え、前記制御部は、前記特定部によって特定される向きに応じて、現在よりも前の時点における過去画像を表示するように前記ディスプレイを制御する。【選択図】  図１
2013246319.tif 000002
【特許請求の範囲】
【請求項１】
ディスプレイを備える画像表示装置であって、
前記ディスプレイの向きを特定する特定部と、
前記ディスプレイを制御する制御部とを備え、
前記制御部は、前記特定部によって特定される向きに応じて、現在よりも前の時点における過去画像を表示するように前記ディスプレイを制御することを特徴とする画像表示装置。
【請求項２】
前記特定部は、前記ディスプレイの向きに加えて、前記画像表示装置の位置を特定し、
前記制御部は、前記特定部によって特定される向き及び位置に応じて、前記過去画像を表示するように前記ディスプレイを制御することを特徴とする請求項１に記載の画像表示装置。
【請求項３】
前記過去画像として、背景画像及び前記背景画像の一部に重畳されるイベント画像を取得する取得部を備え、
前記制御部は、前記特定部によって特定される向きが特定の向きである場合に、前記イベント画像を重畳して表示するように前記ディスプレイを制御することを特徴とする請求項１に記載の画像表示装置。
【請求項４】
前記特定部は、前記ディスプレイの傾きを特定し、
前記制御部は、
前記ディスプレイの傾きが所定値よりも大きい場合に、前記過去画像を表示するように前記ディスプレイを制御し、
前記ディスプレイの傾きが所定値よりも小さい場合に、地図画像を表示するように前記ディスプレイを制御することを特徴とする請求項１に記載の画像表示装置。
【請求項５】
前記制御部は、
前記ディスプレイに加えて、撮像部を制御し、
前記過去画像を表示するためのアプリケーションが起動されたときに、前記特定部によって特定される位置が所定位置である場合に、前記撮像部を起動して、前記撮像部によって撮像された画像を表示するように前記ディスプレイを制御することを特徴とする請求項１に記載の画像表示装置。
【請求項６】
前記制御部は、
前記ディスプレイに加えて、撮像部を制御し、
前記過去画像を表示するためのアプリケーションが起動されたときに、前記特定部によって特定される位置が所定位置を含む所定エリア内である場合に、地図画像を表示するように前記ディスプレイを制御し、
前記特定部によって特定される位置が前記所定位置に達した場合に、前記撮像部を起動して、前記撮像部によって撮像された画像を表示するように前記ディスプレイを制御することを特徴とする請求項１に記載の画像表示装置。
【請求項７】
前記制御部は、
前記過去画像を表示するためのアプリケーションが起動されたときに、前記特定部によって特定される位置が所定位置を含む所定エリア外である場合に、地図画像を表示するように前記ディスプレイを制御し、
ユーザ操作に応じて、前記所定位置に対応する前記過去画像を表示するように前記ディスプレイを制御することを特徴とする請求項１に記載の画像表示装置。
【請求項８】
前記制御部は、前記ディスプレイに加えて、撮像部を制御し、
前記撮像部の向き及び前記ディスプレイの向きは個別に制御されており、
前記制御部は、前記過去画像が表示された状態で前記ディスプレイの向きが変更された場合に、前記ディスプレイの向きに合わせて前記撮像部の向きを制御することを特徴とする請求項１に記載の画像表示装置。
【請求項９】
ディスプレイを備える画像表示装置に適用される画像表示方法であって、
前記ディスプレイの向きを特定するステップＡと、
前記ステップＡで特定される向きに応じて、現在よりも前の時点における過去画像を表示するステップＢとを備えることを特徴とする画像表示方法。
【発明の詳細な説明】
【技術分野】
【０００１】
本発明は、ディスプレイを備える画像表示装置、及び、画像表示装置に適用される画像表示方法に関する。
【背景技術】
【０００２】
従来、カメラなどの撮像部及びディスプレイを備える画像表示装置が知られている。画像表示装置としては、例えば、タブレット端末、携帯端末、デジタルカメラなどが挙げられる。
【０００３】
また、地理的な位置に応じて、様々な関連情報を撮像画像に追加する技術が提案されている。関連情報は、例えば、撮像画像に対応する歴史等の情報である（例えば、特許文献１）。
【先行技術文献】
【特許文献】
【０００４】
【特許文献１】特開２００３−２７４３２０号公報
【発明の概要】
【発明が解決しようとする課題】
【０００５】
ところで、上述した画像表示装置の利用シーンとしては、様々な利用シーンが考えられる。従って、ユーザの興味をそそる利用シーンを実現する画像表示装置が望まれている。
【０００６】
そこで、本発明は、上述した課題を解決するためになされたものであり、ユーザの興味をそそる利用シーンを実現可能な画像表示装置及び画像表示方法を提供することを目的とする。
【課題を解決するための手段】
【０００７】
第１の特徴に係る画像表示装置は、ディスプレイを備える。画像表示装置は、前記ディスプレイの向きを特定する特定部と、前記ディスプレイを制御する制御部とを備え、前記制御部は、前記特定部によって特定される向きに応じて、現在よりも前の時点における過去画像を表示するように前記ディスプレイを制御する。
【０００８】
第１の特徴において、前記特定部は、前記ディスプレイの向きに加えて、前記画像表示装置の位置を特定する。前記制御部は、前記特定部によって特定される向き及び位置に応じて、前記過去画像を表示するように前記ディスプレイを制御する。
【０００９】
第１の特徴において、画像表示装置は、前記過去画像として、背景画像及び前記背景画像の一部に重畳されるイベント画像を取得する取得部を備える。前記制御部は、前記特定部によって特定される向きが特定の向きである場合に、前記イベント画像を重畳して表示するように前記ディスプレイを制御する。
【００１０】
第１の特徴において、前記特定部は、前記ディスプレイの傾きを特定する。前記制御部は、前記ディスプレイの傾きが所定値よりも大きい場合に、前記過去画像を表示するように前記ディスプレイを制御する。前記制御部は、前記ディスプレイの傾きが所定値よりも小さい場合に、地図画像を表示するように前記ディスプレイを制御する。
【００１１】
第１の特徴において、前記制御部は、前記ディスプレイに加えて、撮像部を制御する。前記制御部は、前記過去画像を表示するためのアプリケーションが起動されたときに、前記特定部によって特定される位置が所定位置である場合に、前記撮像部を起動して、前記撮像部によって撮像された画像を表示するように前記ディスプレイを制御する。
【００１２】
第１の特徴において、前記制御部は、前記ディスプレイに加えて、撮像部を制御する。前記制御部は、前記過去画像を表示するためのアプリケーションが起動されたときに、前記特定部によって特定される位置が所定位置を含む所定エリア内である場合に、地図画像を表示するように前記ディスプレイを制御する。前記制御部は、前記特定部によって特定される位置が前記所定位置に達した場合に、前記撮像部を起動して、前記撮像部によって撮像された画像を表示するように前記ディスプレイを制御する。
【００１３】
第１の特徴において、前記制御部は、前記過去画像を表示するためのアプリケーションが起動されたときに、前記特定部によって特定される位置が所定位置を含む所定エリア外である場合に、地図画像を表示するように前記ディスプレイを制御する。前記制御部は、ユーザ操作に応じて、前記所定位置に対応する前記過去画像を表示するように前記ディスプレイを制御する。
【００１４】
第１の特徴において、前記制御部は、前記ディスプレイに加えて、撮像部を制御する。前記撮像部の向き及び前記ディスプレイの向きは個別に制御される。前記制御部は、前記過去画像が表示された状態で前記ディスプレイの向きが変更された場合に、前記ディスプレイの向きに合わせて前記撮像部の向きを制御する。
【００１５】
第２の特徴に係る画像表示方法は、ディスプレイを備える画像表示装置に適用される方法である。画像表示方法は、前記ディスプレイの向きを特定するステップＡと、前記ステップＡで特定される向きに応じて、現在よりも前の時点における過去画像を表示するステップＢとを備える。
【発明の効果】
【００１６】
本発明によれば、ユーザの興味をそそる利用シーンを実現可能な画像表示装置及び画像表示方法を提供することができる。
【図面の簡単な説明】
【００１７】
【図１】図１は、第１実施形態に係る画像表示装置１００を示すブロック図である。
【図２】図２は、第１実施形態に係る現在画像２００を示す図である。
【図３】図３は、第１実施形態に係る過去画像３００を示す図である。
【図４】図４は、第１実施形態に係る過去画像４００を示す図である。
【図５】図５は、第１実施形態に係る過去画像４００を示す図である。
【図６】図６は、第１実施形態の適用例１を説明するための図である。
【図７】図７は、第１実施形態の適用例１を説明するための図である。
【図８】図８は、第１実施形態の適用例１を説明するための図である。
【図９】図９は、第１実施形態の適用例２を説明するための図である。
【図１０】図１０は、第１実施形態の適用例２を説明するための図である。
【図１１】図１１は、第１実施形態の適用例２を説明するための図である。
【発明を実施するための形態】
【００１８】
以下において、本発明の実施形態に係る画像表示装置及び画像表示方法について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る画像表示装置は、ディスプレイを備える。画像表示装置は、前記ディスプレイの向きを特定する特定部と、前記ディスプレイを制御する制御部とを備え、前記制御部は、前記特定部によって特定される向きに応じて、現在よりも前の時点における過去画像を表示するように前記ディスプレイを制御する。
【００２１】
実施形態では、制御部は、特定部によって特定される向きに応じて、現在よりも前の時点における過去画像を表示するようにディスプレイを制御する。すなわち、ユーザは、ディスプレイの向きを変えながら、ディスプレイを通して過去画像を楽しむことができる。
【００２２】
［第１実施形態］
以下において、第１実施形態に係る画像表示装置について説明する。図１は、第１実施形態に係る画像表示装置１００を示すブロック図である。
【００２３】
図１に示すように、画像表示装置１００は、撮像部１１０と、ディスプレイ１２０と、特定部１３０と、取得部１４０と、制御部１５０とを有する。
【００２４】
撮像部１１０は、カメラなどであり、画像を撮像する。言い換えると、撮像部１１０は、現在の時点における現在画像を撮像する。
【００２５】
ディスプレイ１２０は、液晶パネルや有機ＥＬなどであり、画像を表示する。例えば、ディスプレイ１２０は、撮像部１１０によって撮像された画像（現在画像）を表示する。或いは、ディスプレイ１２０は、取得部１４０によって取得された画像（過去画像）を表示する。過去画像は、後述するように、現在よりも前の時点における画像である。
【００２６】
特定部１３０は、ジャイロセンサ、ロータリエンコーダ、加速度センサなどであり、ディスプレイ１２０の向きを検出する。特定部１３０は、ディスプレイ１２０の傾きを検出してもよい。或いは、特定部１３０は、ＧＰＳ機能を有しており、画像表示装置１００の位置を特定してもよい。
【００２７】
取得部１４０は、各種の画像を取得する。取得部１４０は、現在の時点における現在画像を取得してもよい。また、取得部１４０は、現在よりも前の時点における過去画像を取得してもよい。現在画像又は過去画像は、画像表示装置１００に設けられる記憶部に記憶されていてもよい。現在画像又は過去画像は、画像表示装置１００にネットワークを介して接続されたサーバに記憶されていてもよい。
【００２８】
制御部１５０は、撮像部１１０及びディスプレイ１２０を制御する。例えば、制御部１５０は、ディスプレイ１２０に表示される画像を制御する。具体的には、制御部１５０は、撮像部１１０によって撮像された画像（現在画像）を表示する。或いは、制御部１５０は、取得部１４０によって取得された現在画像を表示する。或いは、制御部１５０は、取得部１４０によって取得された過去画像を表示する。
【００２９】
第１実施形態において、制御部１５０は、特定部１３０によって特定されるディスプレイ１２０の向きに応じて、ディスプレイ１２０に表示される画像（現在画像又は過去画像）を制御する。詳細には、現在画像又は過去画像は、ディスプレイ１２０の表示領域よりも大きいパノラマ画像であり、パノラマ画像の一部がディスプレイ１２０に表示される。制御部１５０は、特定部１３０によって特定されるディスプレイ１２０の向きに応じて、パノラマ画像内において表示領域の位置を変更して、ディスプレイ１２０に表示される画像を制御する。
【００３０】
例えば、図２に示すように、現在画像２００は、パノラマ画像である。制御部１５０は、現在画像２００内において、ディスプレイ１２０の表示領域１２０Ａの位置を変更する。これによって、ユーザは、ディスプレイ１２０の向きを変更することによって、表示領域１２０Ａを通して３６０°の景色を楽しむことができる。
【００３１】
但し、ディスプレイ１２０の向きが撮像部１１０の向きと連動している場合には、制御部１５０は、単純に、撮像部１１０によって撮像された画像をディスプレイ１２０に表示すればよいことに留意すべきである。
【００３２】
或いは、図３に示すように、過去画像３００は、パノラマ画像である。制御部１５０は、過去画像３００内において、ディスプレイ１２０の表示領域１２０Ａの位置を変更する。これによって、ユーザは、ディスプレイ１２０の向きを変更することによって、表示領域１２０Ａを通して３６０°の景色を楽しむことができる。
【００３３】
或いは、図４に示すように、過去画像４００は、パノラマ画像である。制御部１５０は、過去画像４００内において、ディスプレイ１２０の表示領域１２０Ａの位置を変更する。これによって、ユーザは、ディスプレイ１２０の向きを変更することによって、表示領域１２０Ａを通して３６０°の景色を楽しむことができる。
【００３４】
ここで、図３に示す過去画像３００は、例えば、現在よりも前の時点（明治時代）における画像である。図４に示す過去画像４００は、例えば、現在よりも前の時点（江戸時代）における画像である。過去画像３００及び過去画像４００に対応する位置（例えば、日本橋）は、現在画像２００に対応する位置（例えば、日本橋）と同じである。
【００３５】
（過去画像）
以下において、第１実施形態に係る過去画像について説明する。図５は、過去画像４００の一例を示す図である。
【００３６】
図５に示すように、過去画像４００は、背景画像４１０及びイベント画像４２０を含む。背景画像４１０は、表示領域１２０Ａよりも大きいパノラマ画像である。背景画像４１０は、静止画像であることが好ましい。イベント画像４２０は、背景画像４１０の一部に重畳される画像である。イベント画像４２０は、動画像であることが好ましい。
【００３７】
ここで、イベント画像４２０を背景画像４１０に重畳して表示するトリガは、例えば、（ａ）イベント画像４２０が背景画像４１０に重畳される領域が表示領域１２０Ａと重複する割合が所定値を超えること、（ｂ）所定操作（アイコンのクリックなど）が行われることである。
【００３８】
第1実施形態において、過去画像４００は、情報アイコン４３０Ａを含んでいてもよい。情報アイコン４３０Ａがクリックされると、過去画像４００に関連する情報を含む関連画像４３０Ｂが背景画像４１０に重畳して表示される。なお、情報アイコン４３０Ａがクリックされた場合に、イベント画像４２０が背景画像４１０に重畳して表示されてもよい。
【００３９】
（作用及び効果）
第１実施形態では、制御部１５０は、特定部１３０によって特定されるディスプレイ１２０の向きに応じて、ディスプレイ１２０に表示される画像（現在画像２００、過去画像３００、過去画像４００）を制御する。すなわち、ユーザは、ディスプレイ１２０の向きを変えながら、表示領域１２０Ａを通してパノラマビューで画像（現在画像２００、過去画像３００、過去画像４００）を楽しむことができる。
【００４０】
第１実施形態では、過去画像４００は、背景画像４１０及びイベント画像４２０を含む。イベント画像４２０は、背景画像４１０の一部に重畳される。すなわち、イベント画像４２０の階層は、背景画像４１０の階層と異なっている。従って、過去画像４００に立体感を持たせることが可能である。
【００４１】
第１実施形態では、背景画像４１０が静止画像であり、イベント画像４２０が動画像である。従って、過去画像４００の全体を動画像で構成するよりも、画像表示装置１００の処理負荷を軽減しながら、ユーザに対して動画像を提供することができる。
【００４２】
［適用例１］
以下において、第１実施形態の適用例１にいて説明する。適用例１において、画像表示装置１００は、図６に示すように、タブレット端末である。或いは、画像表示装置１００は、携帯端末であってもよい。適用例１では、撮像部１１０の向き及びディスプレイ１２０の向きの関係は固定的であることに留意すべきである。また、画像表示装置１００には、過去画像を表示するためのアプリケーションがインストールされる。
【００４３】
適用例１では、上述した特定部１３０は、ディスプレイ１２０の傾きを特定する。制御部１５０は、特定部１３０によって特定されるディスプレイ１２０の傾きに応じて、ディスプレイ１２０に表示される画像を制御する。
【００４４】
具体的には、図７に示すように、制御部１５０は、ディスプレイ１２０の傾きが所定値よりも大きい場合に、過去画像４００（又は、現在画像２００、過去画像３００）を表示するようにディスプレイ１２０を制御する。一方で、制御部１５０は、ディスプレイ１２０の傾きが所定値よりも小さい場合に、過去画像４００（又は、現在画像２００、過去画像３００）に代えて、地図画像を表示するようにディスプレイ１２０を制御する。なお、地図画像は、画像表示装置１００の位置に対応する地図を示す画像であることが好ましい。
【００４５】
ここで、制御部１５０は、過去画像を表示するためのアプリケーションの起動に応じて、以下に示すように、撮像部１１０及びディスプレイ１２０を制御することが好ましい。
【００４６】
第１に、制御部１５０は、過去画像を表示するためのアプリケーションが起動されたときに、特定部１３０によって特定される画像表示装置１００の位置が所定位置である場合に、撮像部１１０を起動して、撮像部１１０によって撮像された画像（現在画像２００）を表示するようにディスプレイ１２０を制御する。
【００４７】
第２に、制御部１５０は、過去画像を表示するためのアプリケーションが起動されたときに、特定部１３０によって特定される画像表示装置１００の位置が所定位置を含む所定エリア内である場合に、地図画像を表示するようにディスプレイ１２０を制御する。制御部１５０は、特定部１３０によって特定される画像表示装置１００の位置が所定位置に達した場合に、撮像部１１０を起動して、撮像部１１０によって撮像された画像を表示するようにディスプレイ１２０を制御する。
【００４８】
第３に、制御部１５０は、過去画像を表示するためのアプリケーションが起動されたときに、特定部１３０によって特定される画像表示装置１００の位置が所定位置を含む所定エリア外である場合に、地図画像を表示するようにディスプレイ１２０を制御する。制御部１５０は、ユーザ操作に応じて、所定位置に対応する過去画像を表示する。ユーザ操作は、例えば、地図画像に含まれる所定位置をクリックする操作である。
【００４９】
［適用例１の変更例］
以下において、第１実施形態の適用例１の変更例について説明する。変更例１では、制御部１５０は、ユーザの視線に応じて、ディスプレイ１２０に表示される画像を制御する。具体的には、図８に示すように、ユーザが表示領域１２０Ａを右側から見ている場合には、ユーザが表示領域１２０Ａに正対しているケースに比べて、左寄りの画像がディスプレイ１２０に表示される（図８下段の左側の画像）。同様に、ユーザが表示領域１２０Ａを左側から見ている場合には、ユーザが表示領域１２０Ａに正対しているケースに比べて、右寄りの画像がディスプレイ１２０に表示される（図８下段の右側の画像）。
【００５０】
なお、ユーザの視線検出は、既知の様々な手法を用いることが可能である。例えば、カメラなどによってユーザの視線を検出してもよい。
【００５１】
［適用例２］
以下において、第１実施形態の適用例２にいて説明する。適用例２において、画像表示装置１００は、図９に示すように、テレビ望遠鏡である。適用例１では、撮像部１１０の向き及びディスプレイ１２０の向きが個別に制御されることに留意すべきである。
【００５２】
画像表示装置１００は、図１０に示すように、ディスプレイ１２０の向きを変えるための操作ハンドル１２１を有する。また、操作ハンドル１２１は、ディスプレイ１２０に表示される画像の拡大／縮小を行うためのズームボタン１２２を有する。
【００５３】
ここで、制御部１５０は、基本的には、撮像部１１０によって撮像された画像（現在画像２００）を表示するようにディスプレイ１２０を制御する。従って、制御部１５０は、操作ハンドル１２１の操作に応じて、撮像部１１０の向きを制御する。同様に、制御部１５０は、ズームボタン１２２の操作に応じて、撮像部１１０のズームを制御する。
【００５４】
ところで、ディスプレイ１２０に過去画像４００（又は、過去画像３００）が表示されているケースでは、撮像部１１０によって撮像された画像がディスプレイ１２０に表示される訳ではないため、操作ハンドル１２１及びズームボタン１２２の操作に応じて撮像部１１０を制御する必要がない。
【００５５】
しかしながら、適用例２では、制御部１５０は、過去画像４００（又は、過去画像３００）が表示された状態でディスプレイ１２０の向きが変更された場合に、ディスプレイ１２０の向きに合わせて撮像部１１０の向きを制御する。すなわち、制御部１５０は、過去画像４００（又は、過去画像３００）が表示された状態であっても、操作ハンドル１２１の操作に応じて、撮像部１１０の向きを制御する。同様に、制御部１５０は、過去画像４００（又は、過去画像３００）が表示された状態であっても、ズームボタン１２２の操作に応じて、撮像部１１０のズームを制御する。
【００５６】
これによって、過去画像４００（又は、過去画像３００）が表示される状態から現在画像２００が表示される状態にディスプレイ１２０の表示が切り替えられた場合に、ユーザの違和感を軽減することができる。また、ユーザは、全く同じ視点において、現在画像と過去画像とを見比べることができる。
【００５７】
（過去画像）
以下において、適用例２に係る過去画像について説明する。図１１は、過去画像４００の一例を示す図である。
【００５８】
図１１に示すように、過去画像４００は、第１実施形態と同様に、背景画像４１０及びイベント画像４２０を含む。背景画像４１０は、表示領域１２０Ａよりも大きいパノラマ画像である。背景画像４１０は、静止画像であることが好ましい。イベント画像４２０は、背景画像４１０の一部に重畳される画像である。イベント画像４２０は、動画像であることが好ましい。
【００５９】
適用例２において、過去画像４００は、情報アイコン４３０Ａに加えて、イベント開始アイコン４４０Ａ及びイベント終了アイコン４４０Ｂを含む。イベント開始アイコン４４０Ａは、イベント画像４２０を表示する処理を開始するためのボタンである。すなわち、イベント開始アイコン４４０Ａのクリックによって、イベント画像４２０を表示する処理が開始する。一方で、イベント終了アイコン４４０Ｂは、イベント画像４２０を表示する処理を終了するためのボタンである。すなわち、イベント終了アイコン４４０Ｂのクリックによって、イベント画像４２０を表示する処理が終了する。
【００６０】
ここで、適用例２では、イベント画像４２０は、背景画像４１０の一部を拡大した画像であり、背景画像４１０に代えて表示されることに留意すべきである。但し、イベント画像４２０は、データの状態では、背景画像４１０の一部に重畳されていることが好ましい。
【００６１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【符号の説明】
【００６２】
１００…画像表示装置、１１０…撮像部、１２０…ディスプレイ、１２０Ａ…表示領域、１２１…操作ハンドル、１２２…ズームボタン、１３０…特定部、１４０…取得部、１５０…制御部、２００…現在画像、３００…過去画像、４００…過去画像、４１０…背景画像、４２０…イベント画像、４３０Ａ…情報アイコン、４３０Ｂ…関連画像、４４０Ａ…イベント開始アイコン、４３０Ｂ…イベント終了アイコン
【図１】
2013246319.tif 000003
【図２】
2013246319.tif 000004
【図３】
2013246319.tif 000005
【図４】
2013246319.tif 000006
【図５】
2013246319.tif 000007
【図６】
2013246319.tif 000008
【図７】
2013246319.tif 000009
【図８】
2013246319.tif 000010
【図９】
2013246319.tif 000011
【図１０】
2013246319.tif 000012
【図１１】
2013246319.tif 000013